【手続補正書】
【提出日】平成18年4月21日(2006.4.21)
【手続補正１】
【補正対象書類名】明細書
【補正対象項目名】発明の名称
【補正方法】変更
【補正の内容】
【発明の名称】補正された同心分光計
【手続補正２】
【補正対象書類名】明細書
【補正対象項目名】特許請求の範囲
【補正方法】変更
【補正の内容】
【特許請求の範囲】
【請求項１】
イメージを受けるレシーバーと、
前記レシーバーと光学的に通じている反射アッセンブリーと、
前記反射アッセンブリーと光学的に通じており、カーブした非平行の複数の溝を含む、収差補正凸面回折格子と、及び
前記収差補正凸面回折格子と光学的に通じている検出器とを含む、補正された同心分光計。
【請求項２】
前記レシーバーがスリットからなる、請求項１に記載の分光計。
【請求項３】
前記レシーバーが調節可能である、請求項１に記載の分光計。
【請求項４】
前記反射アッセンブリーが、第１の鏡、前記レシーバーと前記収差補正凸面回折格子とに通じている前記第１の鏡の第１の部分、及び前記収差補正凸面回折格子と前記レシーバーとに通じている前記第１の鏡の第２の部分を含む、請求項１に記載の分光計。
【請求項５】
前記反射アッセンブリーが、前記レシーバーと前記収差補正凸面回折格子とに通じている第１の鏡、及び前記収差補正凸面回折格子と前記レシーバーとに通じている第２の鏡を含む、請求項１に記載の分光計。
【請求項６】
前記第１の鏡が球面である、請求項４に記載の分光計。
【請求項７】
前記第１の鏡と第２の鏡とが球面である、請求項５に記載の分光計。
【請求項８】
前記第１の鏡が凹面である、請求項６に記載の分光計。
【請求項９】
前記第１の鏡と第２の鏡とが凹面である、請求項７に記載の分光計。
【請求項１０】
前記第１の鏡が調節可能である、請求項４に記載の分光計。
【請求項１１】
前記第１の鏡と前記第２の鏡とが調節可能である、請求項４に記載の分光計。
【請求項１２】
前記収差補正凸面回折格子が凸面である、請求項１に記載の分光計。
【請求項１３】
前記レシーバーが、電荷結合デバイスカメラからなる、請求項１に記載の分光計。
【請求項１４】
前記カーブした複数の溝の少なくとも一部が、互いに等間隔になっている、請求項１に記載の分光計。
【請求項１５】
前記カーブした複数の溝の少なくとも一部が、等間隔になっていない、請求項１に記載の分光計。
【手続補正３】
【補正対象書類名】明細書
【補正対象項目名】０００３
【補正方法】変更
【補正の内容】
【０００３】
（発明の背景）
代表的な分光計は、シーン（情景）の分光イメージを提供するために使用されているものである。測定されるシーンは、コンベンショナルな望遠鏡イメージシステム又は類似物を経て入射スリットにそってイメージされる。該シーンの各特徴は、分光計により拡散され、その結果、該シーンの対応するスペクトルイメージがレシーバーに作られる。分光計は、等価の幾百のスペクトルを同時に測定しなければならない。各スペクトルは、隣り合うスペクトルを干渉してはならないもので、したがって高度の空間的及び高度の分解能（解像度）が要求される。市販の分光計の殆どのものには、フィールド曲率などのような光学収差が前記スリットのスペクトルイメージを歪ませてしまうようになるために、高度の空間的イメージング分解能に欠け、歪みが小さいものはない。大きな電荷結合検知器（ＣＣＤ）アレイの出現で、百万を越す極めて多数の分離した検知体（画素）でイメージをサンプルすることが可能になった。そこで、固有のＣＣＤ空間的分解能を保有でき、前記ＣＣＤアレイ直線ジオメトリーに合致する分解能を有し、歪みのない所望のスペクトルを光学的にイメージすることができる分光計が望まれている。
【手続補正４】
【補正対象書類名】明細書
【補正対象項目名】０００４
【補正方法】変更
【補正の内容】
【０００４】
（発明の概要）
高分解能の収差補正同心分光計には、非平行の複数の線を有する凸面回折格子が含まれている。この凸面格子のカーブした複数の線がフィールド収差を補正する。凸面回折格子の使用により、本発明の分光計は、著しく分解能が向上した高精度スペクトルイメージングを行うことが可能になる。平行でない複数の溝をもつ前記凸面回折格子を使用することにより、分光計は、多用途に適した機能のものになる。
【手続補正５】
【補正対象書類名】明細書
【補正対象項目名】０００５
【補正方法】変更
【補正の内容】
【０００５】
（発明の詳細な記述）
図１を参照すると、従来技術の分光計１０が図示されている。この分光計においては、イメージ８からの光がスリット２０を通過する。反射アッセンブリー３５の一部である第１の凹面鏡３０が前記スリット２０からの光を受ける。第１の鏡３０は、スリット２０から凸面回折格子６０に至る光路中にある。前記凸面回折格子６０は、第１の鏡３０で反射されたイメージを受ける。前記凸面回折格子により、第１の鏡３０から受けたイメージがスペクトルイメージ１４にスペクトル拡散される。反射アッセンブリー３５の第２の凹面鏡４０が凸面回折格子６０からのスペクトルイメージ１４を受け、このスペクトルイメージ１４をカメラ又は他のデバイスのＣＣＤアレイ（電荷結合デバイスアレイ）のような検知器５０へ向け反射する。
【手続補正６】
【補正対象書類名】明細書
【補正対象項目名】００１２
【補正方法】変更
【補正の内容】
【００１２】
この分光計１１０においては、イメージ１２がスリット２０のようなレシーバーを介して受けられる。反射アッセンブリー３５の一部である第１の鏡３０が前記スリット２０からのイメージを受ける。前記第１の鏡３０は、前記スリット２０と前記の収差が補正された凸面回折格子１００との間の光路中にある。前記補正された凸面回折格子１００は、前記第１の鏡３０からの反射されたイメージを受ける。前記補正された凸面回折格子は、前記第１の鏡３０から反射されたイメージをスペクトルイメージ１６としてスペクトル拡散するもので、該スペクトルイメージは、光学収差がないものである。前記反射アッセンブリー３５の第２の鏡４０が前記収差補正凸面回折格子１００からのスペクトルイメージ１６を受け、このスペクトルイメージ１６をカメラ又は類似物のＣＣＤアレイ又はその他の検知器アレイのような検知器５０へ反射する。前記収差補正凸面回折格子１００を利用することによって、分光計１００は、キーストーニング作用を補正し、既知の分光計よりもはるかに優る高解像度が得られる。
【手続補正７】
【補正対象書類名】明細書
【補正対象項目名】００１５
【補正方法】変更
【補正の内容】
【００１５】
図７を参照すると、前記の補正された凸面回折格子は、補正されていない格子についての前記した方法とは対照的に異なる態様で形成されている。図４に示す収差補正回折格子を形成するのに必要な複数の平行ではない溝を機械的に作ることは可能であるが、収差補正回折格子を形成する好ましい方法を図示する。この方法においては、ブランク又は基板１００’は、その面にフォトレジスト層が形成されている。レーザーのような二つの間隔をおいた光源またはレコーディングポインツ７０，７２からの光が局面の反射要素７４により前記基板に投射される。前記二つの光源から反射された光が干渉パターンを作る。これによる干渉パターン７５は、カーブした等間隔の複数の線からなるもので、これらが前記フォトレジスト層に露光される。前記干渉パターンに露光された前記フォトレジスト層を化学的に現像すれば、カーブした等間隔の複数の線からなる面レリーフが前記基板に形成される。この方法においては、格子は、同時に形成され、シヌソイダル断面形状を有する。このようにして得られた収差補正凸面回折格子は、格子複製鋳型として使用できる。